【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである発光体を点灯させる制御を行なう発光体制御手段とが含まれ、
前記遊技制御手段は、前記可変表示制御手段および前記発光体制御手段の制御内容を指令する前記指令情報を出力し、
前記可変表示制御手段および前記発光体制御手段は、前記指令情報に基づき、所定の演出期間にわたって前記複数種類の遊技部品を所定の態様で動作させる制御を開始可能であり、
さらに、前記遊技制御手段は、前記指令情報として、可変表示の開始から終了までの可変表示期間を特定可能な情報を含む指令情報と前記可変表示期間の終了を通知する指令情報とを送信する制御を、前記可変表示装置の１回の可変表示に対して１回のみ行ない、
前記可変表示制御手段は、前記可変表示期間の終了を通知する指令情報が出力されたタイミングにて前記可変表示装置の表示結果を導出表示させる制御を行ない、
前記発光体制御手段は、前記可変表示期間の終了を通知する指令情報が出力されたタイミングにて前記可変表示装置の表示結果の導出表示に対応した発光態様で前記発光体を制御することを特徴とする、遊技機。
【手続補正２】
【補正対象書類名】明細書
【補正対象項目名】０００８
【補正方法】変更
【補正の内容】
【０００８】
請求項１に記載の本発明は、遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである発光体を点灯させる制御を行なう発光体制御手段とが含まれ、
前記遊技制御手段は、前記可変表示制御手段および前記発光体制御手段の制御内容を指令する前記指令情報を出力し、
前記可変表示制御手段および前記発光体制御手段は、前記指令情報に基づき、所定の演出期間にわたって前記複数種類の遊技部品を所定の態様で動作させる制御を開始可能であり、
さらに、前記遊技制御手段は、前記指令情報として、可変表示の開始から終了までの可変表示期間を特定可能な情報を含む指令情報と前記可変表示期間の終了を通知する指令情報とを送信する制御を、前記可変表示装置の１回の可変表示に対して１回のみ行ない、
前記可変表示制御手段は、前記可変表示期間の終了を通知する指令情報が出力されたタイミングにて前記可変表示装置の表示結果を導出表示させる制御を行ない、
前記発光体制御手段は、前記可変表示期間の終了を通知する指令情報が出力されたタイミングにて前記可変表示装置の表示結果の導出表示に対応した発光態様で前記発光体を制御することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
[作用]
請求項１に記載の本発明によれば、遊技制御手段の働きにより、遊技状態が制御される。複数種類の制御手段の働きにより、遊技制御手段から出力される指令情報に基づいて演出の制御が行われる。可変表示制御手段の働きにより、前記可変表示装置の表示結果を導出表示させる制御が行なわれる。発光体制御手段の働きにより、前記複数種類の遊技部品の一つである発光体を点灯させる制御が行なわれる。前記遊技制御手段によって前記可変表示制御手段および前記発光体制御手段の制御内容を指令する前記指令情報が出力される。そして、前記可変表示制御手段および前記発光体制御手段により、前記指令情報に基づき、所定の演出期間にわたって前記複数種類の遊技部品を所定の態様で動作させる制御が開始される。さらに、前記遊技制御手段の働きにより、前記指令情報として、可変表示の開始から終了までの可変表示期間を特定可能な情報を含む指令情報と前記可変表示期間の終了を通知する指令情報とを送信する制御が、前記可変表示装置の１回の可変表示に対して１回のみ行なわれる。前記可変表示制御手段は、前記可変表示期間の終了を通知する指令情報が出力されたタイミングにて前記可変表示装置の表示結果を導出表示させる制御を行なう。前記発光体制御手段は、前記可変表示期間の終了を通知する指令情報が出力されたタイミングにて前記可変表示装置の表示結果の導出表示に対応した発光態様で前記発光体を制御する。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００４６
【補正方法】変更
【補正の内容】
【００４６】
請求項１に関しては、遊技制御手段が可変表示の開始から終了までの可変表示期間を特定可能な情報を含む指令情報と前記可変表示期間の終了を通知する指令情報とを送信する制御を、前記可変表示装置の１回の可変表示に対して１回のみ行なうことで、可変表示期間の終了を通知する指令情報が出力されたタイミングにて、可変表示装置の表示結果を導出表示させる制御が行なわれるとともに、可変表示装置の表示結果の導出表示に対応した発光態様で発光体が制御されることから、可変表示制御手段および発光体制御手段に対して指令情報を出力する遊技制御手段の制御負担を軽減可能となる。
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】削除
【補正の内容】
【手続補正３２】
【補正対象書類名】明細書
【補正対象項目名】００５４
【補正方法】削除
【補正の内容】
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】